(57)【要約】【課題】処理対象日に関する情報を容易に修正することが可能で、予め設定されたサービスを良好に行うことができる自動販売機の制御装置を提供すること。【解決手段】取得した現在日時から現在が割引販売対象日に該当すると判断した場合に、予め設定されたサービスを行う自動販売機に適用される制御装置であって、割引販売日に関する休日情報３１Ｍがメモリ３０Ｍの書換可能な領域に予め設定されており、取得した現在日時と休日情報３１Ｍとを比較して現在が割引販売対象日に該当すると判断した場合に、割引販売を開始するための設定を行う制御手段３０を備えたものである。【選択図】図１
2012194873.tif 000002
【特許請求の範囲】
【請求項１】
取得した現在日時から現在が処理対象日に該当すると判断した場合に、予め設定された処理に対応するサービスを行う自動販売機に適用される制御装置であって、
処理対象日に関する処理対象日情報が記憶手段の書換可能な領域に予め設定されており、取得した現在日時と処理対象日情報とを比較して現在が処理対象日に該当すると判断した場合に、前記サービスを開始するための設定を行う制御手段を備えたことを特徴とする自動販売機の制御装置。
【発明の詳細な説明】
【技術分野】
【０００１】
本発明は、自動販売機の制御装置に関し、より詳細には、取得した現在日時から現在が割引販売日休日に該当すると判断した場合に、予め設定されたサービスを行う自動販売機に適用される制御装置に関するものである。
【背景技術】
【０００２】
従来、取得した現在日時から現在が休日に該当すると判断した場合に、予め設定された割引サービスを行う自動販売機が特許文献１に提案されている。このような自動販売機では、休日に関する情報がプログラムの固定データとして予め設定されており、かかる情報と現在時刻とに基づいて休日（割引販売対象日）であるか否かを判断していた。
【先行技術文献】
【特許文献】
【０００３】
【特許文献１】特開２００８−１２３３２８号公報
【発明の概要】
【発明が解決しようとする課題】
【０００４】
ところで、休日としては、こどもの日（５月５日）のように日が決められているものの他に、海の日（７月の第３月曜日）のように年により日が変更されるものが存在している。そして、今後、年によっては、休日が新たに加えられたり変更されたりすることが考えられる。しかしながら、従来の自動販売機では、休日に関する情報がプログラムの固定データとして設定されていたことから、休日が新たに加えられたり変更されたりすると、その都度プログラムを修正しなければならず、変更手続が煩雑なものになる虞れがある。
【０００５】
本発明は、上記実情に鑑みて、処理対象日に関する情報を容易に修正することが可能で、予め設定されたサービスを良好に行うことができる自動販売機の制御装置を提供することを目的とする。
【課題を解決するための手段】
【０００６】
上記目的を達成するために、本発明の請求項１に係る自動販売機の制御装置は、取得した現在日時から現在が処理対象日に該当すると判断した場合に、予め設定された処理に対応するサービスを行う自動販売機に適用される制御装置であって、処理対象日に関する処理対象日情報が記憶手段の書換可能な領域に予め設定されており、取得した現在日時と処理対象日情報とを比較して現在が処理対象日に該当すると判断した場合に、前記サービスを開始するための設定を行う制御手段を備えたことを特徴とする。
【発明の効果】
【０００７】
本発明によれば、処理対象日か否かの判断基準となる処理対象日情報が、記憶手段の書き換え可能な領域に格納されているので、処理対象日に関する情報を容易に修正することが可能である。また、制御手段が取得した現在日時と処理対象日情報とを比較して現在が処理対象日に該当すると判断した場合に、予め設定された処理に対応するサービスを開始するための設定を行うので、サービスを良好に行うことができる。従って、処理対象日に関する情報を容易に修正することが可能で、予め設定されたサービスを良好に行うことができるという効果を奏する。
【図面の簡単な説明】
【０００８】
【図１】図１は、本発明の実施の形態である制御装置を適用した自動販売機を示すブロック図である。
【図２】図２は、図１に示した制御手段が実施する割引判定制御処理の処理内容を示すフローチャートである。
【発明を実施するための形態】
【０００９】
以下に添付図面を参照して、本発明に係る自動販売機の制御装置の好適な実施の形態について詳細に説明する。
【００１０】
図１は、本発明の実施の形態である制御装置を適用した自動販売機を示すブロック図である。ここで例示する制御装置は、缶入り飲料やペットボトル入り飲料等の容器入り飲料を商品として販売する自動販売機に適用されるものである。図には明示していないが、自動販売機の本体キャビネットには、複数の商品収納ラックが設けてあり、これらの商品収納ラックにコラムが設定してある。コラムは、同一種類の商品が収容される収容単位であり、販売する商品に応じて１、もしくは複数の商品収納ラックが対応している。商品収納ラックには、それぞれに収容した商品の搬出制御を行うためのベンドメック１０が設けてあるとともに、個々のベンドメック１０に商品の売り切れを検出する売切センサ１２が設けてある。
【００１１】
図１に示すように、上記自動販売機には、コラムに対応した選択ボタン１４及び売切ランプ１６が設けてあるとともに、貨幣処理装置１８及び一体表示器２０が設けてある。選択ボタン１４は、利用者が購入商品を選択するためのもので、図には明示していないが、本体キャビネットの前面開口を開閉する外扉の前面に商品見本とともに配設してある。個々の選択ボタン１４は、利用者によって押圧操作された場合にそれぞれの出力信号を後述の制御手段３０に対して出力する。売切ランプ１６は、利用者に対して商品が販売可能であるか否かを表示するためのもので、個々の選択ボタン１４に対応して設けてある。貨幣処理装置１８は、コインメカニズムやビルバリデータと称されるものであり、利用者によって貨幣が投入された場合にこれを鑑別し、その鑑別結果を後述の制御手段３０に出力するものである。一体表示器２０は、投入金額や釣銭金額等、商品を購入する場合に必要となるデータを表示するためのもので、例えば液晶表示器によって構成してある。
【００１２】
また、上記自動販売機にはリモコン２２が設けられている。リモコン２２は、商品収納ラックに対するコラムの設定や、コラムと選択ボタン１４との対応付け、販売価格の設定等、商品の販売に関わる各種設定や確認を行うためのもので、各種機能キーやテンキー等の入力部２２１と、液晶表示器等の表示部２２２とを備えて構成してある。入力部２２１が操作された場合には、その出力信号が後述する制御手段３０に出力される。図には明示していないが、このリモコン２２は、自動販売機の管理者やルート作業者と称されるオペレータが操作するものであり、施錠された外扉を解錠して開放した場合にのみ操作することが可能である。
【００１３】
自動販売機の制御手段３０は、図１に示すように、売切センサ１２、貨幣処理装置１８、選択ボタン１４、リモコン２２から出力信号が与えられた場合、予めメモリ３０Ｍに格納したプログラムや初期データに従ってベンドメック１０、売切ランプ１６、一体表示器２０、リモコン２２の動作を制御するもので、入力制御部３１、出力制御部３２、販売管理制御部３３、割引判定制御部３４を備えて構成してある。
【００１４】
入力制御部３１は、各機器から与えられる指令や信号を入力して処理するものである。出力制御部３２は、各機器に対して指令や信号等を出力して処理するものである。
【００１５】
販売管理制御部３３は、商品の販売に関わる処理を統括的に制御するものである。具体的には、入力部２２１の操作により商品収納ラックに対してコラムが設定され、更にコラムに対して選択ボタン１４及び販売価格が対応付けられた場合、販売管理制御部３３によってコラムの番号と商品収納ラックと選択ボタン１４と販売価格とが互いに対応付けられ、これらがメモリ３０Ｍに格納されることになる。
【００１６】
また、販売管理制御部３３は、貨幣処理装置１８に貨幣が投入された場合、投入貨幣が販売価格以上となった時点で該当する選択ボタン１４を有効化する。有効化した選択ボタン１４が押圧操作された場合、販売管理制御部３３は、対応するコラムの商品収納ラックに設けられたベンドメック１０を動作させて商品を１つずつ払い出す動作を行う。
【００１７】
更に、販売管理制御部３３は、売切センサ１２を通じて商品収納ラックの商品を監視し、商品無しを検出した場合、対応するコラムの売切ランプ１６を点灯して売切状態であることを報知する処理を行う。
【００１８】
割引判定制御部３４は、制御手段３０に内蔵される時計から取得した時計データと、メモリ３０Ｍに予め格納してある休日情報３１Ｍとから本日が休日であるか否かを判断し、休日である場合には割引販売対象日として割引指令を販売管理制御部３３に与えるものである。かかる割引指令が与えられた販売管理制御部３３では、販売価格から割引額を差し引いた価格を割引後販売価格として設定する。
【００１９】
ここで、休日情報３１Ｍは、メモリ３０Ｍの書き換え可能な領域に格納されている。この休日情報３１Ｍは、休日に関するものであり、元日（１月１日）やこどもの日（５月５日）等の日付が含まれるとともに、海の日（７月の第３月曜日）や体育の日（１０月の第２月曜日）等が含まれている。海の日や体育の日のように日付で特定できないものについては、次のようにして格納されている。ここでは海の日を例にして説明する。まず、月データＬが１〜１２まであるが、海の日は７月であるのでＬ＝７となる。次に回数データＭが１週〜５週まであるが、海の日は第３月曜日であるのでＭ＝３となる。そして曜日データＮが月〜日まであるが、海の日はＮ＝１となる。従って、休日情報３１Ｍにおいては、海の日は、Ｌ＝７，Ｍ＝３，Ｎ＝１として格納されている。
【００２０】
図２は、上述した制御手段３０が実施する割引判定制御処理の処理内容を示すフローチャートである。以下、図２を適宜参照しながら制御手段３０が実行する処理の内容について説明する。
【００２１】
割引判定制御処理において制御手段３０は、内蔵する時計より時計データを取得する（ステップＳ１０１）。この時計データには、年月日時分が含まれている。時計データを取得した制御手段３０の割引判定制御部３４は、メモリ３０Ｍから休日情報３１Ｍを読み出す（ステップＳ１０２）。メモリ３０Ｍから休日情報３１Ｍを読み出した制御手段３０の割引判定制御部３４は、ステップＳ１０１で取得した時計データから本日の日付セットを行う（ステップＳ１０３）。この日付セットは、本日の日付を月データ、回数データ及び曜日データに分けたものである。本日の日付が海の日となる場合には、Ｌ＝７，Ｍ＝３，Ｎ＝１とセットする。
【００２２】
そして、ステップＳ１０３で行った日付セットと、ステップＳ１０２で読み出した休日情報３１Ｍとを比較して、制御手段３０はＬ＝７，Ｍ＝３，Ｎ＝１があるか否かを判断する（ステップＳ１０４）。Ｌ＝７，Ｍ＝３，Ｎ＝１がない場合（ステップＳ１０４：Ｎｏ）、制御手段３０は後述する処理を実施することなく手順をリターンさせて今回の処理を終了する。
【００２３】
一方、Ｌ＝７，Ｍ＝３，Ｎ＝１がある場合（ステップＳ１０４：Ｙｅｓ）、制御手段３０は本日が休日、つまり割引対象日であると判断して、割引指令を販売管理制御部３３に送出する（ステップＳ１０５）。かかる割引指令が与えられた販売管理制御部３３では、メモリ３０Ｍに格納された手順に従って割引額を決定する（ステップＳ１０６）。割引額を決定した後、制御手段３０は、販売価格から割引額を除したものを割引後販売価格として設定し（ステップＳ１０７）、その後に手順をリターンさせて今回の処理を終了する。
【００２４】
このように本実施の形態である自動販売機の制御装置においては、割引対象日か否かの判断基準となる休日情報３１Ｍが、メモリ３０Ｍの書き換え可能な領域に格納されているので、休日に関する情報を容易に修正することが可能である。また、制御手段３０が取得した現在日時と休日情報３１Ｍとを比較して現在が休日に該当すると判断した場合に、割引販売（サービス）を開始するための設定を行うので、割引販売を良好に行うことができる。従って、休日に関する情報を容易に修正することが可能で、予め設定された割引販売を良好に行うことができる。
【００２５】
また、休日情報３１Ｍがメモリ３０Ｍの書き換え可能な領域に格納されているので、従来のようにプログラム開発は不要であり、毎年全データを変更するのではく必要なデータのみを追加修正するだけでよく、利用者の利便性を向上させることもできる。
【００２６】
以上本発明の好適な実施の形態について説明したが、本発明はこれに限定されるものではなく、種々の変更を行うことができる。
【００２７】
上述した実施の形態では、休日が割引販売対象日であるとして説明したが、本発明においては、割引販売対象日は休日だけに限られず、任意の日付を割引販売対象日として運用することができる。尚、上述した実施の形態においては、処理対象日のサービスとして、割引販売について説明したが、無料提供や省エネ等のサービスであっても構わない。
【産業上の利用可能性】
【００２８】
以上のように、本発明に係る自動販売機の制御装置は、処理対象日が設定される自動販売機に有用である。
【符号の説明】
【００２９】
１０  ベンドメック
１２  売切センサ
１４  選択ボタン
１６  売切ランプ
１８  貨幣処理装置
２０  一体表示器
２２  リモコン
２２１  入力部
２２２  表示部
３０  制御手段
３０Ｍ  メモリ
３１  入力制御部
３２  出力制御部
３３  販売管理制御部
３４  割引判定制御部
【図１】
2012194873.tif 000003
【図２】
2012194873.tif 000004